【手続補正書】
【提出日】平成17年7月5日(2005.7.5)
【手続補正１】
【補正対象書類名】明細書
【補正対象項目名】特許請求の範囲
【補正方法】変更
【補正の内容】
【特許請求の範囲】
【請求項１】
選択した送信先にディジタルデータ信号を伝送するとともに、すべての送信先に搬送波変調信号を伝送する光多重伝送装置であって、
所定の第１の波長帯から各送信先に対応した波長を選択し、選択した波長を有する光を当該送信先に送信すべきディジタルデータ信号に基づき変調して、データ光信号として出力するデータ光送信部と、
前記第１の波長帯と重ならない所定の第２の波長帯を占める光を、前記搬送波変調信号に基づき変調し、ＲＦ光信号として出力するＲＦ光送信部と、
前記データ光送信部から出力されたデータ光信号と、前記ＲＦ光送信部から出力されたＲＦ光信号とを合成して出力する合波部と、
前記合波部から出力された光信号を伝送する光伝送部と、
複数の出力端子を有し、各出力端子における透過特性では、前記第１の波長帯の中心波長と前記第２の波長帯の中心波長との差に略一致する周期性（ＦＳＲ：Free Spectral Range ）が現れ、前記光伝送部によって伝送されたデータ光信号を各送信先に対応した波長ごとに分離するとともに、前記光伝送部によって伝送されたＲＦ光信号を複数に分岐させて、各出力端子から出力する光ルーティング部と、
前記光ルーティング部から出力された光信号を増幅する光増幅部と、
前記光増幅部で増幅された光信号をさらに複数に分岐させる光分岐部と、
前記光分岐部で分岐した光信号を受信し、受信した光信号に基づき、前記ディジタルデータ信号と前記搬送波変調信号とを分離して出力する光受信部とを備え、
前記光受信部における受信品質に基づき、前記光増幅部に入力するデータ光信号およびＲＦ光信号の電力の相対的な大きさが決定されることを特徴とする、光多重伝送装置。
【請求項２】
前記光受信部から出力されたディジタルデータ信号の振幅の経時的変化（ＤＧ：Differential Gain ）が所定値より小さくなるように、前記光増幅部に入力するＲＦ光信号の電力が大きく、および／または、前記光増幅部に入力するデータ光信号の電力が小さく制御されることを特徴とする、請求項１に記載の光多重伝送装置。
【請求項３】
前記光受信部から出力されたディジタルデータ信号のＤＧ量を検出するＤＧ検出部と、
前記ＤＧ検出部で検出したＤＧ量を、前記データ光送信部および前記ＲＦ光送信部の少なくとも一方に伝送する品質情報伝送部とをさらに備え、
前記データ光送信部および前記ＲＦ光送信部の少なくとも一方は、前記品質情報伝送部によって伝送されたＤＧ量に基づき、出力する光信号の電力を制御することを特徴とする、請求項２に記載の光多重伝送装置。
【請求項４】
前記光受信部から出力された搬送波変調信号の波形歪が所定値より小さくなるように、前記光増幅部に入力するＲＦ光信号の電力が大きく、および／または、前記光増幅部に入力するデータ光信号の電力が小さく制御されることを特徴とする、請求項１に記載の光多重伝送装置。
【請求項５】
前記光受信部から出力された搬送波変調信号の波形歪量を検出する歪検出部と、
前記歪検出部で検出した波形歪量を、前記データ光送信部および前記ＲＦ光送信部の少なくとも一方に伝送する品質情報伝送部とをさらに備え、
前記データ光送信部および前記ＲＦ光送信部の少なくとも一方は、前記品質情報伝送部によって伝送された波形歪量に基づき、出力する光信号の電力を制御することを特徴とする、請求項４に記載の光多重伝送装置。
【請求項６】
前記光受信部から出力されたディジタルデータ信号のＤＧが第１の所定値より小さく、かつ、前記光受信部から出力された搬送波変調信号の波形歪が第２の所定値より小さくなるように、前記光増幅部に入力するＲＦ光信号の電力が大きく、および／または、前記光増幅部に入力するデータ光信号の電力が小さく制御されることを特徴とする、請求項１に記載の光多重伝送装置。
【請求項７】
前記光受信部から出力されたディジタルデータ信号のＤＧ量と、前記光受信部から出力された搬送波変調信号の波形歪量とを検出する受信品質検出部と、
前記受信品質検出部で検出したＤＧ量および波形歪量を、前記データ光送信部および前記ＲＦ光送信部の少なくとも一方に伝送する品質情報伝送部とをさらに備え、
前記データ光送信部および前記ＲＦ光送信部の少なくとも一方は、前記品質情報伝送部によって伝送されたＤＧ量および波形歪量に基づき、出力する光信号の電力を制御することを特徴とする、請求項６に記載の光多重伝送装置。
【請求項８】
前記光受信部から出力されたディジタルデータ信号の信号対雑音レベル比（ＳＮＲ：Signal to Noise Ratio ）が所定値より大きくなるように、前記光増幅部に入力するＲＦ光信号の電力が小さく、および／または、前記光増幅部に入力するデータ光信号の電力が大きく制御されることを特徴とする、請求項１に記載の光多重伝送装置。
【請求項９】
前記光受信部から出力されたディジタルデータ信号のＳＮＲ量を検出するＳＮＲ検出部と、
前記ＳＮＲ検出部で検出したＳＮＲ量を、前記データ光送信部および前記ＲＦ光送信部の少なくとも一方に伝送する品質情報伝送部とをさらに備え、
前記データ光送信部および前記ＲＦ光送信部の少なくとも一方は、前記品質情報伝送部によって伝送されたＳＮＲ量に基づき、出力する光信号の電力を制御することを特徴とする、請求項８に記載の光多重伝送装置。
【請求項１０】
前記光受信部から出力されたディジタルデータ信号のＳＮＲが第１の所定値より大きく、かつ、当該ディジタルデータ信号のＤＧが第２の所定値より小さくなるように、前記光増幅部に入力するデータ光信号の電力、および／または、前記光増幅部に入力するＲＦ光信号の電力が制御されることを特徴とする、請求項１に記載の光多重伝送装置。
【請求項１１】
前記光受信部から出力されたディジタルデータ信号のＳＮＲ量およびＤＧ量を検出するディジタル信号品質検出部と、
前記ディジタル信号品質検出部で検出したＳＮＲ量およびＤＧ量を、前記データ光送信部および前記ＲＦ光送信部の少なくとも一方に伝送する品質情報伝送部とをさらに備え、
前記データ光送信部および前記ＲＦ光送信部の少なくとも一方は、前記品質情報伝送部によって伝送されたＳＮＲ量およびＤＧ量に基づき、出力する光信号の電力を制御することを特徴とする、請求項１０に記載の光多重伝送装置。
【請求項１２】
前記光受信部が受信したデータ光信号の電力が所定値より大きくなるように、前記光増幅部に入力するＲＦ光信号の電力が小さく、および／または、前記光増幅部に入力するデータ光信号の電力が大きく制御されることを特徴とする、請求項１に記載の光多重伝送装置。
【請求項１３】
前記光受信部が受信したデータ光信号の電力量を検出する光電力検出部と、
前記光電力検出部で検出した電力量を、前記データ光送信部および前記ＲＦ光送信部の少なくとも一方に伝送する品質情報伝送部とをさらに備え、
前記データ光送信部および前記ＲＦ光送信部の少なくとも一方は、前記品質情報伝送部によって伝送された電力量に基づき、出力する光信号の電力を制御することを特徴とする、請求項１２に記載の光多重伝送装置。
【請求項１４】
前記光受信部が受信したデータ光信号の電力が第１の所定値より大きく、かつ、前記光受信部から出力されたディジタルデータ信号のＤＧが第２の所定値より小さくなるように、前記光増幅部に入力するデータ光信号の電力、および／または、前記光増幅部に入力するＲＦ光信号の電力が制御されることを特徴とする、請求項１に記載の光多重伝送装置。
【請求項１５】
前記光受信部が受信したデータ光信号の電力量を検出する光電力検出部と、
前記光受信部から出力されたディジタルデータ信号のＤＧ量を検出するＤＧ検出部と、
前記光電力検出部で検出した電力量と前記ＤＧ検出部で検出したＤＧ量とを、前記データ光送信部および前記ＲＦ光送信部の少なくとも一方に伝送する品質情報伝送部とをさらに備え、
前記データ光送信部および前記ＲＦ光送信部の少なくとも一方は、前記品質情報伝送部によって伝送された電力量およびＤＧ量に基づき、出力する光信号の電力を制御することを特徴とする、請求項１４に記載の光多重伝送装置。
【請求項１６】
前記光受信部から出力されたディジタルデータ信号のビット誤り率（ＢＥＲ：Bit Error Rate）が所定値より小さくなるように、前記光増幅部に入力するデータ光信号の電力、および／または、前記光増幅部に入力するＲＦ光信号の電力が制御されることを特徴とする、請求項１に記載の光多重伝送装置。
【請求項１７】
前記光受信部から出力されたディジタルデータ信号のＢＥＲ量を検出するＢＥＲ検出部と、
前記ＢＥＲ検出部で検出したＢＥＲ量を、前記データ光送信部および前記ＲＦ光送信部の少なくとも一方に伝送する品質情報伝送部とをさらに備え、
前記データ光送信部および前記ＲＦ光送信部の少なくとも一方は、前記品質情報伝送部によって伝送されたＢＥＲ量に基づき、出力する光信号の電力を制御することを特徴とする、請求項１６に記載の光多重伝送装置。
【請求項１８】
前記データ光信号は、間欠的に発生するバースト性を有する光信号であることを特徴とする、請求項１に記載の光多重伝送装置。
【請求項１９】
前記搬送波変調信号は、予め定められた互いに異なる周波数を有する複数の搬送波を、各搬送波に対応したデータに基づき変調して複数の変調信号を求め、前記変調信号を周波数多重して得られた周波数多重信号であることを特徴とする、請求項１に記載の光多重伝送装置。
【請求項２０】
前記データ光信号は、間欠的に発生するバースト性を有する光信号であり、かつ、前記搬送波変調信号は、予め定められた互いに異なる周波数を有する複数の搬送波を、各搬送波に対応したデータに基づき変調して複数の変調信号を求め、前記変調信号を周波数多重して得られた周波数多重信号であることを特徴とする、請求項１に記載の光多重伝送装置。
【請求項２１】
前記第１の波長帯の帯域幅と、前記第２の波長帯の帯域幅とが略一致することを特徴とする、請求項１に記載の光多重伝送装置。
【請求項２２】
前記第１の波長帯の帯域幅、および／または、前記第２の波長帯の帯域幅が、前記光ルーティング部のＦＳＲより小さいことを特徴とする、請求項１に記載の光多重伝送装置。
【請求項２３】
前記第１の波長帯の帯域幅と、前記第２の波長帯の帯域幅と、前記光ルーティング部のＦＳＲとが略一致することを特徴とする、請求項１に記載の光多重伝送装置。
【請求項２４】
前記ＲＦ光送信部は、複数の光源を含み、前記光源の出力光を合波して出力することを特徴とする、請求項１に記載の光多重伝送装置。
【手続補正２】
【補正対象書類名】明細書
【補正対象項目名】００３５
【補正方法】削除
【補正の内容】
【手続補正３】
【補正対象書類名】明細書
【補正対象項目名】００３６
【補正方法】削除
【補正の内容】
【手続補正４】
【補正対象書類名】明細書
【補正対象項目名】００３７
【補正方法】変更
【補正の内容】
【００３７】
第２４の発明は、第１の発明において、ＲＦ光送信部は、複数の光源を含み、光源の出力光を合波して出力することを特徴とする。
このような第２４の発明によれば、ＲＦ光信号の電力を増大させ、より多数の受信端末に対して搬送波変調信号を配信することができる。
【手続補正５】
【補正対象書類名】明細書
【補正対象項目名】００３８
【補正方法】削除
【補正の内容】